(57)【要約】  【課題】  水切り構造における防蟻対策を、簡単かつ効果的に実現できるようにする。  【解決手段】  建築物の基礎構造１０から外壁２０が立ち上がる個所における水切り構造であって、外壁２０は、基礎構造１０の上部に、建築物の屋外側Ｏにおいて基礎構造１０との間に間隔をあけて配置され、屋外側Ｏで基礎構造１０と外壁２０との間を連結する水切り部材３０を備え、水切り部材３０が、外壁２０の外表面から屋外側Ｏに張り出し表面が耐水性を有する水切り片３２と、水切り片３２の裏面側に配置され、水切り片３２と基礎構造１０との間を埋めて基礎構造１０の表面に当接する防蟻ブロック３８とを有する。【選択図】  図１
2005133505.tif 000002
【特許請求の範囲】
【請求項１】
建築物の基礎構造から外壁が立ち上がる個所における水切り構造であって、
前記外壁は、前記基礎構造の上部に、前記建築物の屋外側において基礎構造との間に間隔をあけて配置され、
前記屋外側で基礎構造と外壁との間を連結する水切り部材を備え、
前記水切り部材が、外壁の外表面から屋外側に張り出し表面が耐水性を有する水切り片と、水切り片の裏面側に配置され、水切り片と基礎構造との間を埋めて基礎構造の表面に当接する防蟻ブロックとを有する
水切り構造。
【請求項２】
前記水切り部材が、金属、合成樹脂、セラミックからなる群から選ばれる材料からなり、
前記防蟻ブロックが、防蟻剤が配合された発泡樹脂の成形品からなる
請求項１に記載の水切り構造。
【請求項３】
請求項１または２に記載の水切り構造に使用される水切り部材であって、
前記外壁の外表面から屋外側に張り出し表面が耐水性を有する水切り片と、
前記水切り片の裏面側に配置され、水切り片と基礎構造との間を埋めて基礎構造の表面に当接する防蟻ブロックと
を備える水切り部材。
【発明の詳細な説明】
【技術分野】
【０００１】
本発明は、外壁の水切り構造および水切り部材に関し、詳しくは、住宅などの建築物において、布基礎などの基礎構造から外壁が立ち上がる個所において、建築物への雨水などの侵入を遮断する水切り構造と、このような水切り構造に使用される水切り部材とを対象にしている。
【背景技術】
【０００２】
一般的な住宅の外壁は、コンクリートを打設して形成された布基礎などの基礎構造の上端に構築される。基礎構造と外壁との間から雨水などが浸入しないようにするために水切り構造が設けられる。
水切り構造には、ひさし状に成形された金属板からなる水切り部材が用いられる。水切り部材の上端は外壁に接合され、コーキング処理などを施して水密性を確保する。水切り部材は、その裏面側で桟材などを介して基礎構造に固定される。
水切り部材の表面には雨水や散水がかかったり、外壁を伝ってくる水が流れ落ちたりする。水切り部材の表面を流れる水は、屋外側に斜め下向きに延びた先端から下方に落下する。水切り部材の先端は基礎構造の外表面よりも屋外側に張り出しているので、水切り部材から落下する水は、水切り部材の裏面から基礎構造と外壁との間に侵入することがない。雨水が斜め方向から吹き付けたり、雨粒が風で煽られたりしても、水切り部材の裏側と基礎構造の間には雨水が吹き込み難いように、水切り部材の張出量を設定したり、水切り部材の先端を基礎構造の側方まで垂れ下がって覆うようにしたりする。また、水切り部材の裏側と基礎構造との間にコーキング処理をしておくこともある。
【発明の開示】
【発明が解決しようとする課題】
【０００３】
前記した従来における水切り構造では、基礎構造の上端から外壁あるいは建築物の内部へと、白蟻が侵入し易いという問題がある。
基礎構造は地盤と接触しているので、地盤から基礎構造の外表面に沿って、白蟻が這い登ることがある。水切り部材は、基礎構造の外表面よりも屋外側に張り出して下向きに傾斜している。したがって、白蟻が、基礎構造の外表面から水切り部材の裏面の逆傾斜部分を這って、水切り部材の表側から外壁へと這い上がることは難しい。しかし、水切り部材の裏面と基礎構造の表面との間に生じる隙間を通って、壁構造の内部に露出している木質の壁材や床材にまで、白蟻が侵入することがある。建築物の経時変形や熱変形などによる応力を逃がすために、基礎構造と外壁の下端との間には隙間が設けられることが多いので、白蟻が侵入し易くなっている。
【０００４】
基礎構造の外表面に防蟻剤を塗工しておけば、白蟻が基礎構造を這い登ることが困難になる。しかし、風雨に晒される基礎構造の外表面では、防蟻剤を塗工しておいても、経時的に防蟻剤が脱落したり劣化したりする。長期間にわたって高い防蟻機能を維持することが難しい。また、基礎構造の外表面は屋外に露出しているので、ペットの小動物などが、防蟻剤に接触する心配もある。
本発明の課題は、前記したような水切り構造における防蟻対策を、簡単かつ効果的に実現できるようにすることである。
【課題を解決するための手段】
【０００５】
本発明にかかる水切り構造は、建築物の基礎構造から外壁が立ち上がる個所における水切り構造であって、前記外壁は、前記基礎構造の上部に、前記建築物の屋外側において基礎構造との間に間隔をあけて配置され、前記屋外側で基礎構造と外壁との間を連結する水切り部材を備え、前記水切り部材が、外壁の外表面から屋外側に張り出し表面が耐水性を有する水切り片と、水切り片の裏面側に配置され、水切り片と基礎構造との間を埋めて基礎構造の表面に当接する防蟻ブロックとを有する。
〔建築物〕
一般住宅など、通常の建築物に適用できる。集合住宅や工場、オフィスビル、公共施設などの建築物も挙げられる。
【０００６】
建築物は、基礎構造と上部構造とを備える。上部構造は、床、外壁、天井、屋根などを含む建築物の本体部分であり、通常の建築物と同様の構造が採用される。
基礎構造は、コンクリートや石組みなどで地盤上に構築され、上部構造を支持する。基礎構造の上端には、上部構造を支持したり固定したりするための構造部材を設けておくことができる。例えば、鋼材や木材による土台を設置できる。ボルトや金具を設置することもできる。基礎構造の外表面は、通常は垂直面である。一部あるいは全体が傾斜していたり、段差を設けていたりすることもある。
基礎構造の上には、垂直方向に延びる外壁が立ち上がる。外壁は、最も屋外側に配置される外壁材や、外壁材を支持する外壁下地材や外壁骨組材、断熱材、壁内配管および配線などを含むことができる。室内側の内装下地材や内装仕上げ材を設けておくこともできる。
【０００７】
基礎構造から外壁が立ち上がる個所に水切り構造が設けられる。水切り構造は、水切り部材によって構成される。
〔水切り部材〕
通常の建築物における水切り部材と共通する機能を有する。外壁と基礎構造との間に配置されて、外壁と基礎構造とを連結し、雨水や散水などによる水が、外壁と基礎構造との間から建築物の内部に侵入することを阻止する。
基本的な水切り部材の構造は、通常の水切り部材と共通している。水切り部材の上部は、水切り部材の外表面が外壁の外表面から連続していて、外壁から水切り部材へと水が流れ落ちる。水切り部材には、外壁の外表面と同じ位置から屋外側に張り出す部分を有する。張り出し部分を流れる水は、張り出し部分の先端から落下する。張り出し部分を、基礎構造の外表面よりも屋外側に張り出しておくことで、張り出し部分を落下する水が基礎構造の外表面にそのまま垂れ落ちることがない。
【０００８】
水切り部材は、水切り片と防蟻ブロックとを備える。
＜水切り片＞
外壁の外表面から屋外側に張り出し表面が耐水性を有する。
通常の水切り部材における屋外側の形状構造と共通する構造を構成する。通常の水切り部材を構成する材料と同じ耐水性のある材料が使用できる。
具体的には、水切り片の材料として、ステンレスやアルミニウム、銅などの金属、合成樹脂、セラミックなどが使用できる。防蟻ブロックの厚みを十分に確保したり、軽量化を図ったりするために、薄板状の板材料からなるものが使用できる。例えば、金属薄板の場合、厚み０．５〜１．５ｍｍ程度のものが使用できる。合成樹脂の成形品などの場合は、場所によって厚みが異なる場合もある。水切り片として、シート状あるいはフィルム状の材料からなるものを用い、防蟻ブロックの表面に貼り付けることで、剛性強度を持たせることもできる。
【０００９】
水切り片の外表面に塗装やコーティングを施すことによって、耐水性や耐候性、機械的強度、汚れ難さなどを向上させることもできる。
＜防蟻ブロック＞
水切り片の裏面側に配置され、水切り片と基礎構造との間を埋めて基礎構造の表面に当接する。
防蟻ブロックは、防蟻性を有する材料で構成したり、防蟻剤を配合したり、防蟻剤を含浸させたりすることで、防蟻ブロックそのものに防蟻機能を持たせておく。
例えば、防蟻ブロックを、合成樹脂、ゴム、セラミックなどの成形品で構成することができる。防蟻性のない成形材料に防蟻剤を配合しておくことで、防蟻性を付与することができる。多孔質構造の成形品を成形したあと、多孔質構造内に防蟻剤を含浸させることもできる。防蟻ブロックのうち、白蟻の食害を受ける可能性がある個所のみに、防蟻剤を配合した材料を使用して、それ以外の個所には防蟻性のない材料を使用することもできる。
【００１０】
防蟻ブロックに配合する防蟻剤としては、通常の建築施工に利用されている防蟻剤が使用できる。例えば、ピレスロイド系、有機リン系、カーバメート系、天然物系その他の防蟻薬剤が挙げられる。
防蟻ブロックとして、緩衝性のある材料や弾力的な変形性に優れた材料を使用すれば、基礎構造と外壁との相対的な変形や移動を吸収して、当該個所に隙間が発生するのを防止することができる。
防蟻ブロックとして、防蟻剤が配合された発泡樹脂ブロックが使用できる。発泡樹脂ブロックは、軽量で加工し易く、緩衝性や変形性も優れている。また、断熱性にも優れているため、屋外側と屋内側との断熱遮断にも有効である。発泡樹脂としては、ポリスチレン、ポリエチレンなどのポリオレフィン系樹脂や、フェノール系樹脂、ウレタン系樹脂、アクリル系樹脂などが使用できる。発泡倍率として、１．５〜１０．０倍程度のものが使用できる。
【００１１】
防蟻ブロックは、水切り片とは別々に製造して、接着剤などで一定的に接合して水切り部材を構成することもできるし、防蟻ブロックと水切り片とを、合成樹脂の同時押出成形して、成形と同時に防蟻ブロックと水切り片とが一体化した水切り部材が構成されるようにすることもできる。
〔水切り構造の施工〕
水切り構造の施工は、通常の建築物の施工手順にしたがって行えばよい。
通常は、基礎構造を構築し、外壁の基本構造も構築したあと、基礎構造と外壁との間に、水切り部材を装着する。水切り部材が、予め、水切り片と防蟻ブロックとが一体化されたものであれば、そのまま装着するだけでよい。また、水切り片と防蟻ブロックとを別部品として準備しておき、水切り構造の施工時に、それぞれを装着および一体接合するようにしてもよい。
【００１２】
水切り部材と外壁との間は、コーキング剤の充填などによって水密処理を施すことが望ましい。
水切り部材と基礎構造との間は、白蟻が侵入するような隙間が生じないように、防蟻ブロックが基礎構造あるいは基礎構造に付属する部材と密着した状態で接合しておく。但し、水が侵入する可能性は低いので、厳重な水密処理は不要である。防蟻ブロックを基礎構造側に対して接着剤で封止接合しておくことができる。接着剤として、防蟻剤が配合された防蟻接着剤を使用すれば、より防蟻機能が高まる。防蟻ブロックを基礎構造と連結する個所で、屋外側に露出しない個所に、溝や穴をもうけて、そこに防蟻剤を充填しておくこともできる。防蟻ブロックを基礎構造側に、釘やビス、金具などで締結固定しておくこともできる。防蟻ブロックと基礎構造側とに凹凸状の係合構造を設けて係止固定することもできる。
【００１３】
基礎構造と外壁との連結部分が長く続いている個所では、水切り部材を長さ方向で継ぎ足して設置することができる。この場合、継目個所における防蟻性を高めるために、防蟻ブロック同士の継目を防蟻接着剤で接合することができる。防蟻テープを貼り付けて継目を塞ぐことも有効である。
【発明の効果】
【００１４】
本発明にかかる水切り構造は、外壁と基礎構造との間に配置される水切り部材が、本来の水切り機能と同時に防蟻機能をも果たす。
すなわち、屋外側で耐水性を有する水切り片が、雨水の侵入を確実に阻止するとともに、水切り片の内側で防蟻ブロックが、基礎構造との隙間を確実に埋めて、防蟻機能を果たすことができる。白蟻が、基礎構造の外表面を這い登ってきても、基礎構造と外壁の間から建築物の内部にまで白蟻が侵入することは、防蟻ブロックによって確実に阻止される。屋外側が水切り片で覆われた防蟻ブロックは、風雨や日射にさらされて経時的に劣化したり、配合された防蟻剤が雨水などで洗い流されたりすることがなく、長期間にわたって良好な防蟻機能を発揮することができる。
【発明を実施するための最良の形態】
【００１５】
図１に示す水切り構造は、住宅の外壁下部に設けられており、屋外空間Ｏと屋内空間Ｉとを仕切っている。
〔全体構造〕
住宅の基礎構造１０は、コンクリートで構築されている。図示を省略した下方部分は、地盤に埋めこまれており、地盤から垂直な壁状の基礎構造１０が立ち上がっている。基礎構造１０は、住宅の外周に沿って周枠状に配置されているとともに、住宅内部の区画毎に格子状に配置されている。
住宅の外周に配置された基礎構造１０の上端には、土台板１２の上に、型鋼材などからなる支持部材１４がボルと締結によって固定されている。支持部材１４の上部に、外壁２０が支持される。図示を省略したが、基礎構造１０の上部あるいは外壁２０の下端内側には床構造も構築される。
【００１６】
外壁２０は、屋内側には内壁構造２４、屋外側には外壁板２６が配置されている。外壁２０の下端に配置された外壁枠材２２が、基礎構造１０の支持部材１４に固定されて、外壁２０の全体が基礎構造１０に支持されている。内壁構造２４は、図示を省略しているが、断熱材や内装下地材、内装仕上げ材、壁柱、桟材などの複数の材料層あるいは構造部分で構成されている。外壁板２６は、例えば、セメント板やセラミック板などを並べて敷き詰めることで構成されている。
外壁２０の下端と基礎構造１０の土台板１２の上面との間には、支持部材１４の高さに相当する間隔があいている。この間隔部分に水切り構造が設けられる。水切り構造を構成する部材として、水切り部材３０が使用される。
【００１７】
〔水切り部材〕
水切り部材３０は、水切り片３２と防蟻ブロック３８とを備える。
水切り片３２は、ステンレス板や耐水表面処理を施した型鋼材などで構成されている。断面形状において、水切り片３２の上端には、水平に延びる上端辺３３と、上端辺３３の屋外側Ｏ先端から垂直下方に延びる上部垂直辺３４と、上部垂直辺３４の下端から外向きで斜め下方に延びる傾斜辺３５と、傾斜辺３５の先端から垂直下方に延びる下部垂直辺３６と、下部垂直辺３６の下部から水平方向で奥向きに延びる下端辺３７とを有する。
水切り辺３２の上端辺３３は、外壁２０の屋外側Ｏの下端に接合されている。上端辺３３と外壁板２６の下端との間は、コーキング剤が充填されるなどして施工された目地処理部４０を備え、外壁板２６と水切り片３２との間を水密状態で接合している。
【００１８】
水切り片３２の傾斜辺３５は、基礎構造１０の上部で基礎構造１０の外表面よりもかなり屋外側Ｏまで張り出している。下部垂直辺３６は、基礎構造１０の外表面との間に間隔をあけて、基礎構造１０の上端部分の前面を覆っている。下端辺３７の内側端部と、基礎構造１０の外表面との間には間隔があいている。
防蟻ブロック３８は、防蟻剤が配合されたポリスチレン樹脂の発泡体からなる。具体的には、クロルニコチル系防蟻剤を、０．０５重量％の割合で配合され、発泡倍率５倍の発泡ポリスチレンの成形品が使用できる。
防蟻ブロック３８は、水切り片３２の裏側に沿って接合され一定の厚みを有している。防蟻ブロック３８は、水切り片３２の上端辺３３の下側から、上部垂直辺３４の内側、傾斜辺３５の下側、下部垂直辺３６の内側、下端辺３７の上方にかけて配置されている。防蟻ブロック３８は、基礎構造１０の土台板１２の屋外側上面および側端に密着して当接し、土台板１２の端部から垂直下方に向かって、防蟻ブロック３８の内面が延びている。したがって、防蟻ブロック３８の内面は、基礎構造１０の外表面には当接していない。
【００１９】
〔水切り構造の機能〕
上記のような水切り構造では、外壁板２６の表面を流れる雨水や散水の水は、外壁板２６の表面から水切り部材３０の水切り片３２の表面を流れ、水切り片３２の下端から下方に落下する。したがって、流れ落ちる水が、外壁２０と基礎構造１０の間から建築物の内部に浸入することが確実に防止できる。
次に、白蟻が、基礎構造１０の外表面を這い登ってきたときに、基礎構造１０の上端で土台板１２の裏面から水切り部材３０の防蟻ブロック３８の位置まではたどりつけたとしても、防蟻剤が配合された防蟻ブロック３８を食い破って、建築物の内部まで侵入することはできない。防蟻ブロック３８の表面を這って移動することも嫌うので、水切り片３２の表面側まで這い上がることもできない。
【００２０】
防蟻ブロック３８を構成する発泡樹脂は、緩衝性あるいは弾力的な変形性に優れているので、建築物の経時的な変形や熱応力、地震等の外力が加わって、基礎構造１０と外壁２０とが相対的に移動したり変形したりしても、防蟻ブロック３８が変形や応力を吸収する。したがって、防蟻ブロック３８と基礎構造１０の土台板１２との間に、隙間があいたり、防蟻ブロック３８が割れたり欠けたりすることがない。防蟻機能を、長期間にわたって良好に発揮することができる。
防蟻ブロック３８の外表面側は水切り片３２で覆われているので、雨水や塵埃などが防蟻ブロック３８に付着して、防蟻ブロック３８が有する防蟻機能が損なわれたり防蟻ブロック３８が劣化したりすることがない。防蟻ブロック３８に配合された防蟻剤が、雨水で流れ出されてしまうようなこともない。ペットの小動物や小鳥などが、防蟻ブロック３８に噛み付いたりつついたりして、防蟻剤の毒性で悪影響を受けることも防止できる。勿論、防蟻ブロック３８が損傷することも防がれる。
【００２１】
さらに、発泡樹脂からなる防蟻ブロック３８は、断熱性にも優れているので、基礎構造１０と外壁２０との間において、屋内側Ｉと屋外側Ｏとを断熱遮断することができ、屋内側Ｉにおける暖房や冷房の効果をより高めることができる。
【産業上の利用可能性】
【００２２】
本発明の水切り構造は、白蟻の食害が問題になる環境に施工された一般住宅の外壁における水切り構造に有用である。
【図面の簡単な説明】
【００２３】
【図１】本発明の実施形態を表す水切り構造の断面図
【符号の説明】
【００２４】
１０    基礎構造
２０    外壁
２６    外壁板
３０    水切り部材
３２    水切り片
３８    防蟻ブロック
４０    目地処理部
【図１】
2005133505.tif 000003